(57)【要約】【課題】  足裏に対する衝撃の緩和及びマッサージ効果を十分に行わせることができる靴底用中敷を提供する。【解決手段】  靴底に装着可能であるとともに可撓性部材から成る上側中敷本体１ａ及び下側中敷本体１ｂと、これら中敷本体内に形成され、水を流動可能に封入し得る収容空間とを有した靴底用中敷において、収容空間を靴底のつま先領域Ａ、踵領域Ｃ及びそれらの間に位置する中間領域Ｂに区分けする堰部２、３と、該堰部２、３で区分けされた隣り合う領域間で、水が所定の流速にて流動するオリフィス部Ｒ１、Ｒ２とを備えたものである。【選択図】図１
2006102342.tif 000002
【特許請求の範囲】
【請求項１】
靴底に装着可能であるとともに可撓性部材から成る中敷本体と、
該中敷本体内に形成され、液体を流動可能に封入し得る収容空間と、
を有した靴底用中敷において、
前記収容空間を靴底のつま先領域、踵領域及びそれらの間に位置する中間領域に区分けする堰部と、
該堰部で区分けされた隣り合う領域間で、前記液体が所定の流速にて流動するオリフィス部と、
を備えたことを特徴とする靴底用中敷。
【請求項２】
前記堰部は、前記踵領域からつま先領域に向かって凸形状とされたことを特徴とする請求項１記載の靴底用中敷。
【請求項３】
前記つま先領域を更に前後に区分けする第２堰部を設け、該第２堰部にもオリフィス部を設けたことを特徴とする請求項１又は請求項２記載の靴底用中敷。
【請求項４】
前記中敷本体が装着される靴の土踏まず部に相当する位置まで前記中間領域から延設させ、その延設部と中間領域とを区分けする第３堰部を形成するとともに、該第３堰部にもオリフィス部を設けたことを特徴とする請求項１〜請求項３の何れか１つに記載の靴底用中敷。
【請求項５】
前記液体が水であることを特徴とする請求項１〜請求項４の何れか１つに記載の靴底用中敷。
【発明の詳細な説明】
【技術分野】
【０００１】
本発明は、靴底に装着し得る靴底用中敷に関するものである。
【背景技術】
【０００２】
靴底に装着して足裏へ付与される衝撃を緩和することを目的とした靴底用中敷（インソール）として、従来、例えば特許文献１にて開示されたものが挙げられる。かかる文献で開示された靴底用中敷は、可撓性を有する被覆材の内部に液体を流動可能に封入したものから成り、衝撃の緩和に加え、液体の流動によるマッサージ効果をも奏するよう構成されていた。
【特許文献１】特開２０００−１９７５０４号公報
【発明の開示】
【発明が解決しようとする課題】
【０００３】
しかしながら、上記従来の靴底用中敷においては、被覆材にて形成された液体の収容空間が当該中敷の略全域に亘って単に１つ形成されているため、歩行時における液体の移動を理想的に設定することが困難となっており、足裏に対する衝撃の緩和効果及びマッサージ効果が十分でないという問題があった。
【０００４】
本発明は、このような事情に鑑みてなされたもので、足裏に対する衝撃の緩和及びマッサージ効果を十分に行わせることができる靴底用中敷を提供することにある。
【課題を解決するための手段】
【０００５】
請求項１記載の発明は、靴底に装着可能であるとともに可撓性部材から成る中敷本体と、該中敷本体内に形成され、液体を流動可能に封入し得る収容空間とを有した靴底用中敷において、前記収容空間を靴底のつま先領域、踵領域及びそれらの間に位置する中間領域に区分けする堰部と、該堰部で区分けされた隣り合う領域間で、前記液体が所定の流速にて流動するオリフィス部とを備えたことを特徴とする。
【０００６】
請求項２記載の発明は、請求項１記載の靴底用中敷において、前記堰部は、前記踵領域からつま先領域に向かって凸形状とされたことを特徴とする。
【０００７】
請求項３記載の発明は、請求項１又は請求項２記載の靴底用中敷において、前記つま先領域を更に前後に区分けする第２堰部を設け、該第２堰部にもオリフィス部を設けたことを特徴とする。
【０００８】
請求項４記載の発明は、請求項１〜請求項３の何れか１つに記載の靴底用中敷において、前記中敷本体が装着される靴の土踏まず部に相当する位置まで前記中間領域から延設させ、その延設部と中間領域とを区分けする第３堰部を形成するとともに、該第３堰部にもオリフィス部を設けたことを特徴とする。
【０００９】
請求項５記載の発明は、請求項１〜請求項４の何れか１つに記載の靴底用中敷において、前記液体が水であることを特徴とする。
【発明の効果】
【００１０】
請求項１の発明によれば、堰部にて収容空間を靴底のつま先領域、踵領域及びそれらの間に位置する中間領域に区分けするとともに、該堰部で区分けされた隣り合う領域間で、液体が所定の流速にて流動するオリフィス部を備えたので、歩行タイミングに合致して必要な部位への理想的な液体の移動を実現させることができ、足裏に対する衝撃の緩和及びマッサージ効果を十分に行わせることができる。
【００１１】
請求項２の発明によれば、堰部が踵領域からつま先領域に向かって凸形状とされたので、本靴底用中敷が装着された靴を履いた者が歩行する際、足裏接床時（踵から着床する時点）と遊脚時（つま先で床を蹴り上げる時点）とで液体の移動時の流速を異ならせ、足裏に対する衝撃の緩和及びマッサージ効果を一層高めることができる。
【００１２】
請求項３の発明によれば、つま先領域を更に前後に区分けする第２堰部を設け、該第２堰部にもオリフィス部を設けたので、つま先側の液体の流動を更に細かく設定することができるとともに、特に、遊脚時におけるつま先領域内の液体の流れを所望に制御することができる。
【００１３】
請求項４の発明によれば、靴の土踏まず部に相当する位置に形成された延設部と中間領域とを区分けする第３堰部を形成するとともに、該第３堰部にもオリフィス部を設けたので、足裏の土踏まずに対するマッサージ効果をも効果的に付与することができる。
【００１４】
請求項５の発明によれば、収容空間に封入される液体が水であるので、より安価に靴底用中敷を製造することができる。
【発明を実施するための最良の形態】
【００１５】
以下、本発明の実施形態について図面を参照しながら具体的に説明する。
本実施形態に係る靴底用中敷は、靴底に装着され得る中敷（インソール）から成るものであり、図１及び図２に示すように、上側中敷本体１ａ及び下側中敷本体１ｂを接着して内部に液体としての水Ｗを封入して成る中敷本体と、堰部２、３と、第２堰部４と、第３堰部５とから主に構成されている。
【００１６】
上側中敷本体１ａ及び下側中敷本体１ｂは、靴底に装着可能なように当該靴底の形状に略倣った形状とされた２枚の可撓性部材（例えば弾性に富んだ樹脂等）から成るものであり、それぞれを重ね合わせつつ互いの縁部を例えば熱溶着にて接着させることにより、内部に水Ｗを液密に収容する収容空間が形成されている。尚、上側中敷本体１ａ及び下側中敷本体１ｂとしての材質は、所定の耐久性及び可撓性を有していれば、種々プラスチックや合成樹脂等を用いることができる。
【００１７】
堰部２、３は、２枚の中敷本体の所定部位を例えば熱溶着にて接着させ、当該中敷本体が成す収容空間をつま先領域Ａ、踵領域Ｃ及びそれらの間に位置する中間領域Ｂに区分けするものである。即ち、中敷本体が靴底に装着された際のつま先部に相当する領域がつま先領域Ａ、踵部に相当する領域が踵領域Ｃ、それらの中間の領域が中間領域Ｂとなるよう、堰部２及び３が形成されているのである。
【００１８】
これら堰部２及び３は、上側中敷本体１ａ及び下側中敷本体２の接着された縁部から所定間隔離間して形成されており、かかる離間部がオリフィス部Ｒ１及びＲ２を構成している。これらオリフィス部Ｒ１及びＲ２は、堰部２及び３で区分けされた隣り合う領域間で内在する水が所定の流速にて流動するよう離間寸法が設定されており、これにより踵領域Ｃに荷重が付与された際、オリフィスＲ２、Ｒ１を介して当該踵領域Ｃの水が中間領域Ｂ及びつま先領域Ａへ順次流動するとともに、つま先領域Ａに荷重が付与された際、オリフィスＲ２、Ｒ１を介して当該つま先領域Ａの水が中間領域Ｂ及び踵領域Ｃへ順次流動し得るようになっている。
【００１９】
即ち、中敷本体の長手方向に亘って「つま先領域Ａ」「中間領域Ｂ」「踵領域Ｃ」に区分けしてそれぞれの小室を形成するとともに、隣り合う領域間で内在する水の流動を許容するオリフィス部Ｒ１及びＲ２を形成したことにより、かかる中敷が装着された靴を履いた者が歩行する際、歩行タイミングに応じて水が踵領域Ｃから中間領域Ｂへ、且つ、つま先領域Ａから中間領域Ｂへ流動するので、足裏のマッサージ効果を高めることができる。
【００２０】
更に、堰部２及び３は、踵領域Ｃからつま先領域Ａに向かって（図１中上方に向かって）凸とされた弧状に形成されている。かかる形状により、上記中敷が装着された靴を履いた者が歩行する際の足裏接床時の水の流速（踵領域Ｃ、中間領域Ｂ及びつま先領域Ａの順に水が流動）が、遊脚時の水の流速（つま先領域Ａ、中間領域Ｂ及び踵領域Ｃの順に水が流動）よりも遅くなるよう設定できる。
【００２１】
即ち、足裏接床時において踵から踵領域Ｃに圧力付与されるとき、堰部３の形状によりオリフィス部Ｒ２から中間領域Ｂへの水の流れが抑えられて、当該踵領域Ｃ内の水が所定時間保持されるので、その水の保持による弾性により衝撃が吸収されるのである。同様に、歩行により踵領域Ｃから中間領域Ｃに体重移動がなされると、堰部２の形状によりオリフィス部Ｒ１からつま先領域Ａへの水の流れが抑えられて、当該中間領域Ｂ及び後述する延設部Ｂａ内の水が所定時間保持されるので、体重移動に基づく衝撃が吸収される。尚、延設部Ｂａにも水が所定時間保持されるので、足裏の土踏まずに対するマッサージ効果も得ることができる。従って、本実施形態によれば、従来のものに比べ、足裏に対する衝撃の緩和及びマッサージ効果を十分に行わせることができる。
【００２２】
また、遊脚時においてつま先からつま先領域Ａに圧力付与されるときは、堰部２及び３の形状によりオリフィス部Ｒ１から中間領域Ｂへの水の流れ、及びオリフィス部Ｒ２から踵領域Ｃへの水の流れが促進され、当該つま先領域Ａ内の水が素早く流出するので、床面に対する蹴り上げを良好として履き心地の向上を図ることができるとともに、次回の足裏接床時までに水を素早く初期状態に戻すことができる。尚、本実施形態においては、堰部２及び３の形状が、図１中上方に向かって凸とされた弧状に形成されているが、踵領域Ｃからつま先領域Ａに向かって凸形状であれば、他の形状であってもよい。
【００２３】
一方、つま先領域Ａには、上側中敷本体１ａと下側中敷本体１ｂとを熱溶着させた第２堰部４が形成されており、当該つま先領域Ａを前後（中敷本体の長手方向）に区分けして第１つま先領域Ａａと第２つま先領域Ａｂを形成している。かかる第２堰部４は、２枚の中敷を熱溶着させた縁部からそれぞれ延びて水の流動を規制するとともに、その略中間位置に第１つま先領域Ａａと第２つま先領域Ａｂとを連通し、水の流動を許容するオリフィス部Ｒ３が形成されている。
【００２４】
これにより、つま先領域Ａを更に前後に区分けする第２堰部４を設け、該第２堰部４にもオリフィス部Ｒ３を設けたので、つま先側の水の流動を更に細かく設定することができるとともに、特に、遊脚時におけるつま先領域Ａ内の水の流れを所望に制御することができる。即ち、遊脚時につま先から第１つま先領域Ａａに圧力付与されると、当該第１つま先領域Ａａ内の水が中間領域Ｂへ流れるとともに、オリフィス部Ｒ３を介して第２つま先領域Ａｂへも流れるので、水の流れを所望に制御して遊脚時の水による弾性を良好に設定することができるのである。
【００２５】
更に、中間領域Ｂからは、中敷本体が装着される靴の土踏まず部に相当する位置まで延びて延設部Ｂａが形成されている。尚、図１は右足の靴底に装着される中敷本体を示しているため、延設部Ｂａは同図左方向へ延設されているが、右足の靴底に装着されるものにおいては当該延設部Ｂａは右方向へ延設されることとなる。かかる延設部Ｂａは、他の領域と同様、内在する水の収容及び流動を可能とした収容空間の一部を成している。
【００２６】
そして、延設部Ｂａと中間領域Ｂとの間には、堰部２、３及び第２堰部４と同様、２枚の中敷本体を熱溶着して得られた第３堰部５が形成されるとともに、当該延設部Ｂａと中間領域Ｂとの間で水の流れを許容するオリフィス部Ｒ４が形成されている。これにより、上記中敷が装着された靴を履いた者が歩行する際、足裏の土踏まずに対するマッサージ効果をも効果的に付与することができる。尚、上記中敷本体を靴底に装着した際、延設部Ｂａは土踏まずの形状に沿って立ち上がった状態とされるとともに、装着されるべき靴底の形状に合わせて延設部Ｂａが形成（位置及び形状が任意に変更可能）されることとなる。
【００２７】
また、第３堰部５は、同図に示すように、延設部Ｂａから中間領域Ｂに向かって凸の弧状とされており、オリフィス部Ｒ４を介する当該延設部Ｂａ内から中間領域Ｂへの水の流れがその逆の流れより遅く設定されている。これにより、足裏の土踏ますに対するマッサージ効果をより向上させることができる。
【００２８】
次に、上記靴底用中敷の効果を実証するための実験結果について説明する。
本実験においては、図３に示すように、床面に硬質樹脂から成るシート材ａを載置しておき、その上に比較対象とされる中敷ｂ（素足の実験の場合はない）、靴底に装着される薄革部材ｃ及び圧力分布を測定するためのセンサシートｄを順に積層しておく。実施例は、図１に示した如き靴底用中敷から成るとともに、比較例１は図４に示す如き靴底用中敷である。
【００２９】
比較例１の靴底用中敷は、同図に示すように、内部に水を封入した収容空間Ｓと、該収容空間Ｓ内において幅方向に複数形成された凸条部（収容空間Ｓを区分けしていない）とを有しており、当該収容空間Ｓは連通状態とされている。また、比較例２は、靴底用中敷を設置せず、単に薄革部材ｃ上にセンサシートｄが積層されているのみである。そして、センサシートｄ上に足を載せて略均等に体重をかけ、実施例、比較例１及び比較例２における圧力分布を測定した。実験結果については、実施例のものが図５、比較例１のものが図６、比較例２のものが図７の如きとなった。
【００３０】
図５乃至図７からも明らかなように、実施例のものは、比較例１及び２のものに比べ、足裏に付与される圧力が分散されており、特に土踏まずに対しても圧力分散が認められた。従って、実施例のものは比較例１及び２に比べて、足裏に対する衝撃の緩和及びマッサージ効果を十分に行わせることができる。
【００３１】
以上、本実施形態に係る靴底用中敷について説明したが、本発明はこれに限定されるものではなく、例えば中敷本体をつま先領域、中間領域及び踵領域に区分けする堰部と、該堰部で区分けされた隣り合う領域間で水が所定の流速にて流動するオリフィス部とを備えていれば、堰部の配設位置や形状、オリフィス部の形成位置等を種々変更することができる。
【００３２】
また、中敷本体内に収容される水に代えて他の液体（例えば所定の粘性を持ったオイル状のもの等）を用いることができる。但し、水を中敷本体に封入する構成とすれば、靴底用中敷の製造コストを低減することができる。更に、つま先領域Ａから先端側に中敷本体を延設させ、装着する靴底の大きさに応じてハサミ等で切断して用いるよう構成してもよい。
【００３３】
また更に、つま先領域Ａを前後に区分けしたものにおいて、先端側（実施形態における第２つま先領域Ａｂに相当する部位）を熱溶着等にて封止し、水等の液体の流動がなされないよう構成してもよい。尚、延設部Ｂａを形成せず、つま先領域Ａ、中間領域Ｂ及び踵領域Ｃのみに区分けするよう構成してもよく、当該延設部Ｂａを形成した場合であっても、本実施形態の如く第３堰部５を設けない構成としてもよい。
【産業上の利用可能性】
【００３４】
中敷本体をつま先領域、中間領域及び踵領域に区分けする堰部と、該堰部で区分けされた隣り合う領域間で水が所定の流速にて流動するオリフィス部とを備えた靴底用中敷であれば、外観形状が異なるもの或いは他の機能が付加されたものにも適用することができる。
【図面の簡単な説明】
【００３５】
【図１】本発明の実施形態に係る靴底用中敷を示す平面図
【図２】図１におけるＩＩ−ＩＩ線断面図
【図３】本発明の実施形態の靴底用中敷の効果を実証するための実験態様を示す模式図
【図４】同実験における比較例１に係る靴底用中敷を示す模式図
【図５】同実験における実施例の圧力分布を示すグラフ
【図６】同実験における比較例１の圧力分布を示すグラフ
【図７】同実験における比較例２の圧力分布を示すグラフ
【符号の説明】
【００３６】
１ａ  上側中敷本体
１ｂ  下側中敷本体
２、３  堰部
４    第２堰部
５    第３堰部
Ａ    つま先領域
Ｂ    中間領域
Ｃ    踵領域
Ｒ１〜Ｒ４  オリフィス部
Ｗ    水（液体）
【図１】
2006102342.tif 000003
【図２】
2006102342.tif 000004
【図３】
2006102342.tif 000005
【図４】
2006102342.tif 000006
【図５】
2006102342.tif 000007
【図６】
2006102342.tif 000008
【図７】
2006102342.tif 000009